(57)【要約】    【課題】ＩＣカードに新規アプリケーションを登録した場合、処理装置側にも制御用の装置アプリケーションプログラムの登録が必要である。また、ＩＣカードと処理装置で格納するアプリケーションが異なる場合に、アプリケーション名称の統一した表示方法が必要である。    【解決手段】そこで、処理装置のＩＣカード読み書き部を利用して、表示装置内のメモリに装置アプリケーションプログラムを登録する。また、ＩＣカードの共通エリアに、共通文字コードでアプリケーション名称を登録することで、カードアプリケーション名称の表示が常時可能になる。    【選択図】図７
2007095097.tif 000002
【特許請求の範囲】
【請求項１】
情報を入出力する入出力手段と、複数のアプリケーションに関する情報を記憶
する記憶手段と、前記アプリケーションに関する情報を処理するＩＣカード演算
処理手段とを備えたＩＣカードが用いられ、前記ＩＣカードに格納される情報を
処理するＩＣカード処理装置であって、
前記アプリケーションに対応する装置アプリケーションプログラムを複数記憶
可能な装置アプリケーションプログラム記憶手段と、
前記ＩＣカードの入出力手段を介して情報を読み書きするＩＣカード読み書き
手段と、
前記ＩＣカード読み書き手段を介して前記ＩＣカード演算処理手段において情
報を入出力し、前記ＩＣカードに格納されたアプリケーションに関する情報を前
記アプリケーションに対応する前記装置アプリケーションプログラムを用いて処
理を行なう装置演算処理手段とを備えてなり、
前記ＩＣカード読み書き手段は装置アプリケーションプログラムの入力が可能
であり、
前記装置演算処理手段は、前記ＩＣカード読み書き手段に入力される装置アプ
リケーションプログラムを前記装置アプリケーションプログラム記憶手段に記憶
するように制御することを特徴とするＩＣカード処理装置。
【請求項２】
前記ＩＣカードの記憶手段に記憶されるアプリケーションに関する情報は、前
記アプリケーションが前記ＩＣカードにおいて動作するためのカードアプリケー
ションプログラムと、前記カードアプリケーションプログラムにおいて処理され
るアプリケーションデータとを含んでなることを特徴とする請求項１に記載のＩ
Ｃカード処理装置。
【請求項３】
前記ＩＣカード処理装置は、前記ＩＣカードに格納されたカードアプリケーシ
ョンに対応する装置アプリケーションプログラムを前記アプリケーションプログ
ラム記憶手段に備えた場合に、前記ＩＣカードに格納されたアプリケーションデ
ータの読み書きが可能となることを特徴とする請求項２に記載のＩＣカード処理
装置。
【請求項４】
前記ＩＣカード読み書き手段において入力される装置アプリケーションプログ
ラムは、信号の形式を変換する情報変換手段を介して、外部の情報処理端末にお
いて出力される情報であることを特徴とする請求項１に記載のＩＣカード処理装
置。
【請求項５】
前記ＩＣカード読み書き手段において入力される装置アプリケーションプログ
ラムは、前記ＩＣカード読み書き手段に接続される入出力手段を備えた記憶媒体
に記憶された情報であることを特徴とする請求項１に記載のＩＣカード処理装置
。
【請求項６】
前記複数アプリケーションの少なくとも１つは商取引に関するアプリケーショ
ンであることを特徴である請求項１に記載のＩＣカード処理装置。
【請求項７】
情報を入出力する入出力手段と、複数のアプリケーションに関する情報を記憶
する記憶手段と、前記アプリケーションに関する情報を処理するＩＣカード演算
処理手段とを備えたＩＣカードが用いられ、前記ＩＣカードに格納される情報を
処理するＩＣカード処理装置であって、
前記ＩＣカードの入出力手段を介して情報を読み書きするＩＣカード読み書き
手段と、
外部の情報処理端末より情報が入出力される外部入出力手段と、
前記ＩＣカード読み書き手段を介して前記ＩＣカード演算処理手段において情
報を入出力し、前記ＩＣカードに格納されたアプリケーションに関する情報の処
理を行なう装置演算処理手段とを備えてなり、
前記ＩＣカードは前記ＩＣカード読み書き手段に接続され、前記装置演算処理
手段は前記外部入出力手段において入出力される情報により前記ＩＣカードに格
納される情報を読み書きするように制御することを特徴とするＩＣカード処理装
置。
【請求項８】
前記外部入出力手段は前記ＩＣカードに格納される情報の読み書きが可能であ
るＩＣカード読み書き手段であることを特徴とする請求項７に記載のＩＣカード
処理装置。
【請求項９】
前記ＩＣカード読み書き手段は信号の形式を変換する情報変換手段を介して前
記外部の情報処理端末に接続されることを特徴とする請求項７に記載のＩＣカー
ド処理装置。
【請求項１０】
前記情報処理端末はコンピュータであることを特徴とする請求項７に記載のＩ
Ｃカード処理装置。
【請求項１１】
情報を入出力する入出力手段と、複数のアプリケーションに関する情報を記憶
する記憶手段と、前記アプリケーションに関する情報を処理するＩＣカード演算
処理手段と、を備えたＩＣカードが用いられ、前記ＩＣカードに格納される情報
を処理するＩＣカード処理装置であって、  
前記アプリケーションに対応する装置アプリケーションプログラムを複数記憶
する装置アプリケーションプログラム記憶手段と、
前記ＩＣカードの入出力手段を介し、前記ＩＣカードに格納されたアプリケー
ションに関する情報を読み取るＩＣカード読み書き手段と、
前記ＩＣカードにおいて用いられるアプリケーションの名称を表示する表示手
段と、
アプリケーションに前記アプリケーションプログラム記憶手段に記憶されてい
るアプリケーションプログラムが対応しないとき、前記アプリケーションの名称
を、前記ＩＣカード読み書き手段により読み取ったアプリケーションに関する情
報に含まれるアプリケーション識別情報に基づいて前記表示手段に表示するよう
に制御する装置演算処理手段と、
を備えてなることを特徴とするＩＣカード処理装置。
【請求項１２】
前記ＩＣカードの記憶手段に記憶されるアプリケーションに関する情報は、前
記アプリケーションが前記ＩＣカードにおいて動作するためのカードアプリケー
ションプログラムと、前記カードアプリケーションプログラムにおいて処理され
るアプリケーションデータと、を含んでなることを特徴とする請求項１１に記載
のＩＣカード処理装置
【請求項１３】
前記ＩＣカード処理装置は、前記ＩＣカードに格納されたカードアプリケーシ
ョンに対応する装置アプリケーションプログラムを前記アプリケーションプログ
ラム記憶手段に備えた場合に、前記ＩＣカードに格納されたアプリケーションデ
ータの読み書きが可能となることを特徴とする請求項１２に記載のＩＣカード処
理装置。
【請求項１４】
前記ＩＣカード処理装置は、
前記ＩＣカード読み書き手段により読み取られるアプリケーション識別情報と
アプリケーションの名称の対応を記憶するアプリケーション名称記憶手段を備え
、
前記制御手段は、前記アプリケーション名称記憶手段に格納された情報に基づ
き、前記表示手段にアプリケーションの名称を表示するように制御することを特
徴とする請求項１１に記載のＩＣカード処理装置。
【請求項１５】
前記ＩＣカード読み書き手段において、ＩＣカードに格納されるアプリケーシ
ョンの識別情報とアプリケーションの名称の対応に関する情報が入力され、
前記アプリケーション名称記憶手段は、前記カード読み書き手段おいて入力さ
れた情報を記憶することを特徴とする請求項１４に記載のＩＣカード処理装置。
【請求項１６】
前記アプリケーション名称記憶手段は、前記ＩＣカードにおいて使用される全
てのアプリケーションの識別情報とアプリケーションの名称の対応に関する情報
が記憶可能であることを特徴とする請求項１４に記載のＩＣカード処理装置。
【請求項１７】
前記ＩＣカード読み書き手段により読み取ったアプリケーション識別情報は、
所定の形式の情報が含まれ、
前記装置演算処理手段は前記所定の形式の情報を前記表示手段に表示するよう
に制御することを特徴とする請求項１１に記載のＩＣカード処理装置。
【請求項１８】
前記所定の形式の情報は文字コード情報であることを特徴とする請求項１７に
記載のＩＣカード処理装置。
【請求項１９】
前記アプリケーションの名称は、前記アプリケーションの正式名称、略称、ま
たは前記アプリケーションを表す図形情報であることを特徴とする請求項１１に
記載のＩＣカード処理装置。
【請求項２０】
複数のアプリケーションを動作させるためのカードアプリケーションプログラ
ムと、前記カードアプリケーションプログラムにおいて処理されるアプリケーシ
ョンデータとを複数格納する第１の記憶手段と、
前記複数のアプリケーションの名称に関する情報を複数記憶する第２の記憶手
段と、
前記第１および第２の記憶手段に格納された情報を処理する演算処理手段とを
備えてなり、
前記第２の記憶手段に格納された複数のアプリケーションの名称に関する情報
は共通の形式で記憶されてなることを特徴とするＩＣカード。
【請求項２１】
前記共通の形式は所定の文字コードであることを特徴とする請求項２０に記載
のＩＣカード。
【請求項２２】
カードが読み書きされるカード読み書き手段を備え、前記カードに格納された
情報を処理するカード処理装置と共に用いられ、前記カード処理装置に入出力可
能な情報変換器であって、
第１の入出力手段と、
前記第１の入出力手段に接続され、情報を変換する変換回路部と、
前記変換回路部に接続された第２の入出力手段とを備えてなり、  
前記第１の入出力手段は前記カード読み書き手段おいて入出力され、
前記第２の入出力手段において入出力される情報と、前記第１の入出力手段に
おいて入出力される情報は、前記変換回路部において互いに形式が変換され、前
記情報は前記カード読み書き手段を介して前記カード処理装置において入出力さ
れることを特徴とする情報変換器。
【請求項２３】
前記第１の入出力手段は情報を入出力する接点を備えてなり、
前記第１の入出力手段の前記カード読み書き手段に接続される部分の形状およ
び前記接点の位置は、ＩＳＯ−７８１６に準拠したＩＣカードに対応してなるこ
とを特徴とする請求項２２に記載の情報変換器。
【請求項２４】
前記第２の入出力手段は、ＲＳ−２３２Ｃ規格に準拠することを特徴とする請
求項２３に記載の情報変換器。
【請求項２５】
情報を入出力するカード入出力手段と、複数のアプリケーションに関する情報
を記憶する記憶手段と、前記アプリケーションに関する情報を処理するＩＣカー
ド演算処理手段とを備えたＩＣカードと共に用いられ、前記ＩＣカードに格納さ
れる情報を処理するＩＣカード処理装置と、
情報を入出力する端末入出力手段を備えた情報処理端末と、
前記ＩＣカード処理装置と前記情報処理端末とを接続する情報変換器と、
を備えてなる装置アプリケーションプログラムインストールシステムであって、
前記ＩＣカード処理装置は、前記アプリケーションに対応する装置アプリケー
ションプログラムを複数記憶する装置アプリケーションプログラム記憶手段と、
前記カード入出力手段を介して情報が読み書きされるＩＣカード読み書き手段と
、前記ＩＣカード読み書き手段を介して前記ＩＣカード演算処理手段において情
報を入出力し、前記ＩＣカードに格納されたアプリケーションに関する情報を前
記アプリケーションに対応する前記装置アプリケーションプログラムを用いて処
理を行なう装置演算処理手段とを備えてなり、
前記情報変換器は、第１の入出力手段と、前記第１の入出力手段に接続された
変換回路部と、前記変換回路部に接続された第２の入出力手段とを備えてなり、
前記第１の入出力手段は前記ＩＣカード読み書き手段において入出力され、
前記第２の入出力手段は前記情報処理端末に接続され、
前記情報処理端末において入出力される情報と前記第１のＩＣカード読み書き
手段に入出力される情報は、前記変換回路部において互いに形式が変換され、  
前記情報処理端末において出力される情報は装置アプリケーションプログラム
として前記ＩＣカード読み書き手段に入力され、前記装置アプリケーションプロ
グラム記憶手段に記憶されることを特徴とする装置アプリケーションプログラム
インストールシステム。
【請求項２６】
前記情報処理端末は、通信手段を備え、外部から入力される情報を受信するこ
とを特徴とする請求項２５に記載の装置アプリケーションプログラムインストー
ルシステム。
【請求項２７】
前記情報処理端末は、コンピュータであることを特徴とする請求項２５に記載
の装置アプリケーションプログラムインストールシステム。
【請求項２８】
ＩＣカードと、前記ＩＣカードに格納された情報を処理するＩＣカード処理装
置とを備えてなるＩＣカードシステムであって、
前記ＩＣカードは、情報を入出力する入出力手段と、複数のアプリケーション
を動作させるためのカードアプリケーションプログラムと、前記カードアプリケ
ーションプログラムにおいて処理されるアプリケーションデータとを複数格納す
る第１の記憶手段と、前記複数のアプリケーションの名称に関する情報を共通の
形式で複数記憶する第２の記憶手段と、前記第１および第２の記憶手段に格納さ
れた情報を処理するＩＣカード演算処理手段とを備えてなり、
前記ＩＣカード処理装置は、アプリケーションに対応する装置アプリケーショ
ンプログラムを複数記憶する装置アプリケーションプログラム記憶手段と、前記
ＩＣカードの入出力手段を介して、前記ＩＣカードの第１および第２の記憶手段
に格納された情報を読み取るＩＣカード読み書き手段と、前記ＩＣカードにおい
て用いられるアプリケーションの名称を表示する表示手段と、前記アプリケーシ
ョンに前記アプリケーションプログラム記憶手段に記憶されているアプリケーシ
ョンプログラムが対応しないとき、前記アプリケーションの名称を前記ＩＣカー
ドの第２の記憶手段に格納された前記アプリケーションの名称に関する情報に基
づいて前記表示手段に表示するように制御する装置演算処理手段とを備えてなる
ことを特徴とするＩＣカードシステム。
【請求項２９】
前記ＩＣカード処理装置は、前記ＩＣカードに格納されたカードアプリケーシ
ョンに対応する装置アプリケーションプログラムを前記アプリケーションプログ
ラム記憶手段に備えた場合に、前記ＩＣカードに格納されたアプリケーションデ
ータの読み書きが可能となることを特徴とする請求項２８に記載のＩＣカードシ
ステム。
【請求項３０】
前記アプリケーションの名称は、前記アプリケーションの正式名称、略称、ま
たは前記アプリケーションを表す図形情報であることを特徴とする請求項２８に
記載のＩＣカードシステム。
【請求項３１】
ＩＣカードと、
前記ＩＣカードに格納される情報を処理するＩＣカード処理装置と、
情報を入出力する端末入出力部を備えた情報処理端末と、
前記ＩＣカード処理装置と前記情報処理端末とを接続する情報変換器と、を備
えてなるＩＣカードシステムであって、
前記ＩＣカードは、情報を入出力するカード入出力手段と、複数のアプリケー
ションに関する情報を記憶する記憶手段と、前記アプリケーションに関する情報
を処理するＩＣカード演算処理手段とを備えてなり、
前記ＩＣカード処理装置は、前記カード入出力手段を介して情報を読み書きす
る第１および第２のＩＣカード読み書き手段と、前記第１または第２のＩＣカー
ド読み書き手段を介して前記ＩＣカード演算処理手段において情報を入出力し、
前記ＩＣカードに格納されたアプリケーションに関する情報の処理を行なう装置
演算処理手段とを備えてなり、
前記情報変換器は、第１の入出力手段と、前記第１の入出力手段に接続された
変換回路部と、前記変換回路部に接続された第２の入出力手段とを備えてなり、
前記第１のカード読み書き部は前記ＩＣカードに接続され、前記第２のカード
読み書き部は、前記第１の入出力手段に接続され、前記第２の入出力手段は、前
記情報処理端末に接続され、
前記情報処理端末において入出力される情報と、前記第２のＩＣカード読み書
き手段に入出力される情報は、前記変換回路部において互いに形式が変換され、
前記装置演算処理手段は、前記情報処理端末において入出力される情報により
前記ＩＣカードに格納されるアプリケーションに関する情報が読み書きされるよ
うに制御することを特徴とするＩＣカードシステム。
【請求項３２】
前記情報処理端末はコンピュータであることを特徴とする請求項３１に記載の
ＩＣカードシステム。
【請求項３３】
ＩＣカード内に格納された複数の残高情報を表示するＩＣカード情報表示装置
において、
表示に関する指示を入力する入力手段と、上記ＩＣカード内の残高情報の読み
取り及び書き込みを行うＩＣカード読み書き手段と、上記残高情報を表示する表
示手段と、プログラムの読み書き及び消去が可能な記憶手段と、外部装置と情報
の送受信を行う情報送受信手段と、上記ＩＣカード読み書き手段を制御して上記
複数の残高情報を上記ＩＣカードから読み取り、上記入力手段からの指示によっ
て特定された上記残高情報を上記表示手段に表示させる制御手段とを、設けたこ
とを特徴とするＩＣカード情報表示装置。
【請求項３４】
請求項３３記載において、
前記複数の残高情報の少なくとも１つは、金額情報であることを特徴とするＩ
Ｃカード情報表示装置。
【請求項３５】
請求項３４記載において、
前記記憶手段には、前記制御手段を制御するための制御プログラムが格納され
ており、前記情報送受信手段が受信した他の制御プログラムを前記記憶手段に書
き込むことを特徴とするＩＣカード情報表示装置。
【請求項３６】
請求項３４記載において、
前記記憶手段には、前記制御手段を制御するための制御プログラムが格納され
ており、前記ＩＣカード読み書き手段が受信した他の制御プログラムを前記記憶
手段に書き込むことを特徴とするＩＣカード情報表示装置。
【請求項３７】
ＩＣカード内に格納された複数の残高情報を表示するＩＣカード情報表示装置
において、
表示に関する指示を入力する入力手段と、上記ＩＣカード内の残高情報の読み
取り及び書き込みを行うＩＣカード読み書き手段と、上記残高情報を表示する表
示手段と、プログラムの読み書き及び消去が可能な記憶手段と、上記ＩＣカード
読み書き手段を制御して上記複数の残高情報を上記ＩＣカードから読み取り、上
記入力手段からの指示によって特定された上記残高情報を上記表示手段に表示さ
せる制御手段とを設けて、
上記記憶手段には、上記制御手段を制御するための複数の制御プログラムが格
納されることを特徴とするＩＣカード情報表示装置。
【請求項３８】
請求項３７記載において、
前記複数の残高情報の少なくとも１つは、金額情報であることを特徴とするＩ
Ｃカード情報表示装置。
【請求項３９】
請求項３８記載において、
前記表示手段には、前記複数の残高情報に関する固有名称がそれぞれ表示され
て、該表示された固有名称の中から前記入力手段によって特定の残高情報を選択
することを特徴とするＩＣカード情報表示装置。
【請求項４０】
請求項３８記載において、
前記表示手段には、前記複数の制御プログラムに関する固有名称がそれぞれ表
示されて、該表示された固有名称の中から前記入力手段によって特定の制御プロ
グラムを選択することを特徴とするＩＣカード情報表示装置。
【請求項４１】
請求項３８記載において、
前記表示手段には、前記複数の残高情報の中で前記複数の制御プログラムに関
連したものに関してのみ固有名称がそれぞれ表示されて、該表示された固有名称
の中から前記入力手段によって特定の残高情報を選択することを特徴とするＩＣ
カード情報表示装置。
【請求項４２】
ＩＣカード内に格納された複数の残高情報を表示するＩＣカード情報表示装置
において、
表示に関する指示を入力する入力手段と、上記ＩＣカード内の残高情報の読み
取り及び書き込みを行うＩＣカード読み書き手段と、上記残高情報を表示する表
示手段と、プログラムの読み書き及び消去が可能な記憶手段と、外部装置と情報
の送受信を行う情報送受信手段と、上記ＩＣカード読み書き手段を制御して上記
複数の残高情報を上記ＩＣカードから読み取り、上記入力手段からの指示によっ
て特定された上記残高情報を上記表示手段に表示させる制御手段とを設けて、  
上記記憶手段には、上記制御手段を制御するための複数の制御プログラムが格納
されており、なおかつ、上記複数の残高情報の少なくとも１つは、金額情報であ
ることを特徴とするＩＣカード情報表示装置。
【請求項４３】
請求項４２記載において、
前記記憶手段には、残高情報に関する全ての固有名称が格納されており、前記
複数の残高情報に関して前記記憶手段から該当する固有名称が読み出されること
を特徴とするＩＣカード情報表示装置。
【請求項４４】
請求項４３記載において、
前記表示手段には、前記記憶手段から読み出された固有名称がそれぞれ表示さ
れて、該表示された固有名称の中から前記入力手段によって特定の残高情報を選
択することを特徴とするＩＣカード情報表示装置。
【請求項４５】
請求項４２記載において、
前記ＩＣカード内には、前記複数の残高情報に関する固有名称が統一された書
式の文字コードで格納されることを特徴とするＩＣカード情報表示装置。
【請求項４６】
請求項４５記載において、
前記表示手段には、前記ＩＣカードから読み出された固有名称がそれぞれ表示
されて、該表示された固有名称の中から前記入力手段によって特定の残高情報を
選択することを特徴とするＩＣカード情報表示装置。
【請求項４７】
請求項４６記載において、
前記固有名称は、前記ＩＣカード内のディレクトリーファイル内に格納される
ことを特徴とするＩＣカード情報表示装置。
【請求項４８】
請求項４６記載において、
前記固有名称は、前記ＩＣカード内のアンサー・ツウ・リセットファイル内に
格納されることを特徴とするＩＣカード情報表示装置。
【請求項４９】
ＩＣカード内に格納された複数の残高情報を表示するＩＣカード情報表示装置
において、
表示に関する指示を入力する入力手段と、上記ＩＣカード内の残高情報の読み
取り及び書き込みを行うＩＣカード読み書き手段と、上記残高情報を表示する表
示手段と、プログラムの読み書き及び消去が可能な記憶手段と、上記ＩＣカード
読み書き手段を制御して上記複数の残高情報を上記ＩＣカードから読み取り、上
記入力手段からの指示によって特定された上記残高情報を上記表示手段に表示さ
せる制御手段とを、設けたことを特徴とするＩＣカード情報表示装置。
【請求項５０】
請求項４９記載において、
前記複数の残高情報の少なくとも１つは、金額情報であることを特徴とするＩ
Ｃカード情報表示装置。
【請求項５１】
請求項５０記載において、
前記記憶手段には、前記制御手段を制御するための制御プログラムが格納され
ており、さらに、前記ＩＣカードには他の制御プログラムが格納されており、前
記ＩＣカード読み書き手段が受信した該他の制御プログラムを前記記憶手段に書
き込むことを特徴とするＩＣカード情報表示装置。
【請求項５２】
ＩＣカード内の残高情報記憶手段に格納された複数の残高情報を表示するＩＣ
カード情報表示装置において、
表示に関する指示を入力する入力手段と、上記ＩＣカード内の残高情報の読み
取り及び書き込みを行うＩＣカード読み書き手段と、上記残高情報を表示する表
示手段と、プログラムの読み書き及び消去が可能な記憶手段と、外部装置と情報
の送受信を行う情報送受信手段と、上記ＩＣカード読み書き手段を制御して上記
複数の残高情報を上記ＩＣカードから読み取り、上記入力手段からの指示によっ
て特定された上記残高情報を上記表示手段に表示させる制御手段とを、設けたこ
とを特徴とするＩＣカード情報表示装置。
【請求項５３】
請求項５２記載において、
前記複数の残高情報の少なくとも１つは、金額情報であることを特徴とするＩ
Ｃカード情報表示装置。
【請求項５４】
請求項５３記載において、
前記記憶手段には、前記制御手段を制御するための制御プログラムが格納され
ており、前記情報送受信手段が受信した他の制御プログラムを前記記憶手段に書
き込み、さらに前記情報受信手段が受信した他の残高情報を前記ＩＣカード読み
書き手段によって前記ＩＣカード内の前記残高情報記憶手段に書き込むことを特
徴とするＩＣカード情報表示装置。
【発明の詳細な説明】
【技術分野】
【０００１】
本発明は、ＩＣカード内に電子マネー情報やプレミアムポイント情報などの複
数のアプリケーション情報を格納して、処理装置装置でこれらの情報を処理する
ことが可能なＩＣカードシステムおよびこれに用いられる装置ならびにＩＣカー
ドに関する。
【背景技術】
【０００２】
現在、ユーザーが商品を購入すると購入した金額に応じてプレミアムポイント
情報を販売店が発行して、ユーザーが後日、蓄えたポイント情報を商品と引き替
えることができるプレミアムポイントサービスが普及している。
一方、特許文献１に記載されているように、ＩＣカードを使用した電子財布シ
ステムにより、商取引の完全なキャッシュレス化が検討されている。これは、Ｉ
Ｃカード内のメモリに任意に指定された金額情報を書き込み、精算時にはこのＩ
Ｃカードから必要な金額情報を送信することで、現金を用いずに商取引を完了さ
せることができるシステムである。
【０００３】
【特許文献１】特開平３−９２９６６号公報
【発明の開示】
【発明が解決しようとする課題】
【０００４】
上記の電子財布システムによる商取引が実現した場合、ＩＣカード内には、電
子マネー情報と共に様々なアプリケーションデータを持たせることができるため
、例えば、上記プレミアムポイント情報などもＩＣカードに格納し、表示装置で
電子マネー情報と共にこれらのポイント情報を表示、処理させることが可能とな
る。
【０００５】
上記プレミアムポイントサービスは、商品を頻繁に購入する特定ユーザーに対
するサービスとして行われているが、現在は磁気カードなどを用いて販売店毎に
サービスを行っているため、ユーザーは複数の販売店のポイントカードを持たな
ければならない。その結果、従来、ユーザーは販売店毎のカードを携帯し、カー
ドのデータを読み取るためにはそれぞれ専用の表示装置が必要であったが、上記
ＩＣカードを用いることにより、１枚のＩＣカードに複数のアプリケーションデ
ータを格納し、さらに１台の表示装置でこれらのアプリケーションデータを表示
させることができる。
【０００６】
ここで、ユーザーがＩＣカード内に異なる種類のアプリケーションデータを新
たに追加した場合は、表示装置側にも表示制御を行う装置アプリケーションプロ
グラムを追加しないと、追加したデータを表示装置で見ることはできない。上記
ＩＣカードでは金額情報などの高いセキュリティで保護されるべき情報を扱うの
でＩＣカード内にも判断処理を行なう演算処理手段を持ち、ＩＣカード内での判
断処理が行われることが望ましい。また、ＩＣカード内のメモリの容量も限られ
ているので、何らかの手段で表示装置内のフラッシュメモリなどに、表示装置内
における処理を行なう装置アプリケーションプログラムを追加することが必要と
なる。
【０００７】
また、ユーザは、複数のアプリケーションから自分が表示させたいアプリケー
ションを選択する操作が必要になるが、ＩＣカード内のアプリケーションプログ
ラムデータの種類と、表示装置内の装置アプリケーションプログラムの種類とが
必ずしも一致しているとは限らない。そこで、アプリケーション名称を表示装置
に表示してユーザーが選択する際の手順に関して、何らかの統一方法が必要とな
る。
【課題を解決するための手段】
【０００８】
上記の課題を解決するために、本発明では、情報を入出力する入出力手段と、
複数のアプリケーションに関する情報を記憶する記憶手段と、前記アプリケーシ
ョンに関する情報を処理するＩＣカード演算処理手段とを備えたＩＣカードが用
いられ、前記ＩＣカードに格納される情報を処理するＩＣカード処理装置であっ
て、前記アプリケーションに対応する装置アプリケーションプログラムを複数記
憶可能な装置アプリケーションプログラム記憶手段と、前記ＩＣカードの入出力
手段を介して情報を読み書きするＩＣカード読み書き手段と、前記ＩＣカード読
み書き手段を介して前記ＩＣカード演算処理手段において情報を入出力し、前記
ＩＣカードに格納されたアプリケーションに関する情報を前記アプリケーション
に対応する前記装置アプリケーションプログラムを用いて処理を行なう装置演算
処理手段とを備えてなり、前記ＩＣカード読み書き手段は装置アプリケーション
プログラムの入力が可能であり、前記装置演算処理手段は、前記ＩＣカード読み
書き手段に入力される装置アプリケーションプログラムを前記装置アプリケーシ
ョンプログラム記憶手段に記憶するように制御する構成とする。
【０００９】
また、前記ＩＣカードの記憶手段に記憶されるアプリケーションに関する情報
は、前記アプリケーションが前記ＩＣカードにおいて動作するためのカードアプ
リケーションプログラムと、前記カードアプリケーションプログラムにおいて処
理されるアプリケーションデータとを含んでなる構成とする。
【００１０】
また、前記ＩＣカード処理装置は、前記ＩＣカードに格納されたカードアプリ
ケーションに対応する装置アプリケーションプログラムを前記アプリケーション
プログラム記憶手段に備えた場合に、前記ＩＣカードに格納されたアプリケーシ
ョンデータの読み書きが可能となる構成とする。
【００１１】
また、前記ＩＣカード読み書き手段において入力される装置アプリケーション
プログラムは、信号の形式を変換する情報変換手段を介して、外部の情報処理端
末において出力される情報である構成とする。
【００１２】
前記ＩＣカード読み書き手段において入力される装置アプリケーションプログ
ラムは、前記ＩＣカード読み書き手段に接続される入出力手段を備えた記憶媒体
に記憶された情報である構成とする。
【００１３】
また、前記複数アプリケーションの少なくとも１つは商取引に関するアプリケ
ーションである構成とする。
【００１４】
また、情報を入出力する入出力手段と、複数のアプリケーションに関する情報
を記憶する記憶手段と、前記アプリケーションに関する情報を処理するＩＣカー
ド演算処理手段とを備えたＩＣカードが用いられ、前記ＩＣカードに格納される
情報を処理するＩＣカード処理装置であって、前記ＩＣカードの入出力手段を介
して情報を読み書きするＩＣカード読み書き手段と、外部の情報処理端末より情
報が入出力される外部入出力手段と、前記ＩＣカード読み書き手段を介して前記
ＩＣカード演算処理手段において情報を入出力し、前記ＩＣカードに格納された
アプリケーションに関する情報の処理を行なう装置演算処理手段とを備えてなり
、前記ＩＣカードは前記ＩＣカード読み書き手段に接続され、前記装置演算処理
手段は前記外部入出力手段において入出力される情報により前記ＩＣカードに格
納される情報を読み書きするように制御する構成とする。
【００１５】
また、前記外部入出力手段は前記ＩＣカードに格納される情報の読み書きが可
能であるＩＣカード読み書き手段である構成とする。
【００１６】
また、前記ＩＣカード読み書き手段は信号の形式を変換する情報変換手段を介
して前記外部の情報処理端末に接続される構成とする。
【００１７】
また、前記情報処理端末はコンピュータである構成とする。
【００１８】
また、情報を入出力する入出力手段と、複数のアプリケーションに関する情報
を記憶する記憶手段と、前記アプリケーションに関する情報を処理するＩＣカー
ド演算処理手段と、を備えたＩＣカードが用いられ、前記ＩＣカードに格納され
る情報を処理するＩＣカード処理装置であって、前記アプリケーションに対応す
る装置アプリケーションプログラムを複数記憶する装置アプリケーションプログ
ラム記憶手段と、前記ＩＣカードの入出力手段を介し、前記ＩＣカードに格納さ
れたアプリケーションに関する情報を読み取るＩＣカード読み書き手段と、前記
ＩＣカードにおいて用いられるアプリケーションの名称を表示する表示手段と、
アプリケーションに前記アプリケーションプログラム記憶手段に記憶されている
アプリケーションプログラムが対応しないとき、前記アプリケーションの名称を
、前記ＩＣカード読み書き手段により読み取ったアプリケーションに関する情報
に含まれるアプリケーション識別情報に基づいて前記表示手段に表示するように
制御する装置演算処理手段とを備えてなる構成とする。
【００１９】
また、前記ＩＣカードの記憶手段に記憶されるアプリケーションに関する情報
は、前記アプリケーションが前記ＩＣカードにおいて動作するためのカードアプ
リケーションプログラムと、前記カードアプリケーションプログラムにおいて処
理されるアプリケーションデータと、を含んでなる構成とする。
【００２０】
また、前記ＩＣカード処理装置は、前記ＩＣカードに格納されたカードアプリ
ケーションに対応する装置アプリケーションプログラムを前記アプリケーション
プログラム記憶手段に備えた場合に、前記ＩＣカードに格納されたアプリケーシ
ョンデータの読み書きが可能となる構成とする。
【００２１】
また、前記ＩＣカード処理装置は、前記ＩＣカード読み書き手段により読み取
られるアプリケーション識別情報とアプリケーションの名称の対応を記憶するア
プリケーション名称記憶手段を備え、前記制御手段は、前記アプリケーション名
称記憶手段に格納された情報に基づき、前記表示手段にアプリケーションの名称
を表示するように制御する構成とする。
【００２２】
また、前記ＩＣカード読み書き手段において、ＩＣカードに格納されるアプリ
ケーションの識別情報とアプリケーションの名称の対応に関する情報が入力され
、前記アプリケーション名称記憶手段は、前記カード読み書き手段おいて入力さ
れた情報を記憶する構成とする。
【００２３】
また、前記アプリケーション名称記憶手段は、前記ＩＣカードにおいて使用さ
れる全てのアプリケーションの識別情報とアプリケーションの名称の対応に関す
る情報が記憶可能である構成とする。
【００２４】
また、前記ＩＣカード読み書き手段により読み取ったアプリケーション識別情
報は、所定の形式の情報が含まれ、前記装置演算処理手段は前記所定の形式の情
報を前記表示手段に表示するように制御する構成とする。
【００２５】
また、前記所定の形式の情報は文字コード情報である構成とする。
【００２６】
また、前記アプリケーションの名称は、前記アプリケーションの正式名称、略
称、または前記アプリケーションを表す図形情報である構成とする。
【００２７】
また、複数のアプリケーションを動作させるためのカードアプリケーションプ
ログラムと、前記カードアプリケーションプログラムにおいて処理されるアプリ
ケーションデータとを複数格納する第１の記憶手段と、前記複数のアプリケーシ
ョンの名称に関する情報を複数記憶する第２の記憶手段と、前記第１および第２
の記憶手段に格納された情報を処理する演算処理手段とを備えてなり、前記第２
の記憶手段に格納された複数のアプリケーションの名称に関する情報は共通の形
式で記憶されてなる構成とする。
【００２８】
また、前記共通の形式は所定の文字コードである構成とする。
【００２９】
また、カードが読み書きされるカード読み書き手段を備え、前記カードに格納
された情報を処理するカード処理装置と共に用いられ、前記カード処理装置に入
出力可能な情報変換器であって、第１の入出力手段と、前記第１の入出力手段に
接続され、情報を変換する変換回路部と、前記変換回路部に接続された第２の入
出力手段とを備えてなり、前記第１の入出力手段は前記カード読み書き手段おい
て入出力され、前記第２の入出力手段において入出力される情報と、前記第１の
入出力手段において入出力される情報は、前記変換回路部において互いに形式が
変換され、前記情報は前記カード読み書き手段を介して前記カード処理装置にお
いて入出力される構成とする。
【００３０】
また、前記第１の入出力手段は情報を入出力する接点を備えてなり、前記第１
の入出力手段の前記カード読み書き手段に接続される部分の形状および前記接点
の位置は、ＩＳＯ−７８１６に準拠したＩＣカードに対応してなる構成とする。
【００３１】
また、前記第２の入出力手段は、ＲＳ−２３２Ｃ規格に準拠する構成とする。
【００３２】
また、情報を入出力するカード入出力手段と、複数のアプリケーションに関す
る情報を記憶する記憶手段と、前記アプリケーションに関する情報を処理するＩ
Ｃカード演算処理手段とを備えたＩＣカードと共に用いられ、前記ＩＣカードに
格納される情報を処理するＩＣカード処理装置と、情報を入出力する端末入出力
手段を備えた情報処理端末と、前記ＩＣカード処理装置と前記情報処理端末とを
接続する情報変換器とを備えてなる装置アプリケーションプログラムインストー
ルシステムであって、前記ＩＣカード処理装置は、前記アプリケーションに対応
する装置アプリケーションプログラムを複数記憶する装置アプリケーションプロ
グラム記憶手段と、前記カード入出力手段を介して情報が読み書きされるＩＣカ
ード読み書き手段と、前記ＩＣカード読み書き手段を介して前記ＩＣカード演算
処理手段において情報を入出力し、前記ＩＣカードに格納されたアプリケーショ
ンに関する情報を前記アプリケーションに対応する前記装置アプリケーションプ
ログラムを用いて処理を行なう装置演算処理手段とを備えてなり、前記情報変換
器は、第１の入出力手段と、前記第１の入出力手段に接続された変換回路部と、
前記変換回路部に接続された第２の入出力手段とを備えてなり、前記第１の入出
力手段は前記ＩＣカード読み書き手段において入出力され、前記第２の入出力手
段は前記情報処理端末に接続され、前記情報処理端末において入出力される情報
と前記第１のＩＣカード読み書き手段に入出力される情報は、前記変換回路部に
おいて互いに形式が変換され、  前記情報処理端末において出力される情報は装
置アプリケーションプログラムとして前記ＩＣカード読み書き手段に入力され、
前記装置アプリケーションプログラム記憶手段に記憶される構成とする。
【００３３】
また、前記情報処理端末は、通信手段を備え、外部から入力される情報を受信
する構成とする。
【００３４】
また、前記情報処理端末は、コンピュータである構成とする。
【００３５】
また、ＩＣカードと、前記ＩＣカードに格納された情報を処理するＩＣカード
処理装置とを備えてなるＩＣカードシステムであって、前記ＩＣカードは、情報
を入出力する入出力手段と、複数のアプリケーションを動作させるためのカード
アプリケーションプログラムと、前記カードアプリケーションプログラムにおい
て処理されるアプリケーションデータとを複数格納する第１の記憶手段と、前記
複数のアプリケーションの名称に関する情報を共通の形式で複数記憶する第２の
記憶手段と、前記第１および第２の記憶手段に格納された情報を処理するＩＣカ
ード演算処理手段とを備えてなり、前記ＩＣカード処理装置は、アプリケーショ
ンに対応する装置アプリケーションプログラムを複数記憶する装置アプリケーシ
ョンプログラム記憶手段と、前記ＩＣカードの入出力手段を介して、前記ＩＣカ
ードの第１および第２の記憶手段に格納された情報を読み取るＩＣカード読み書
き手段と、前記ＩＣカードにおいて用いられるアプリケーションの名称を表示す
る表示手段と、前記アプリケーションに前記アプリケーションプログラム記憶手
段に記憶されているアプリケーションプログラムが対応しないとき、前記アプリ
ケーションの名称を前記ＩＣカードの第２の記憶手段に格納された前記アプリケ
ーションの名称に関する情報に基づいて前記表示手段に表示するように制御する
装置演算処理手段とを備えてなる構成とする。
【００３６】
また、前記ＩＣカード処理装置は、前記ＩＣカードに格納されたカードアプリ
ケーションに対応する装置アプリケーションプログラムを前記アプリケーション
プログラム記憶手段に備えた場合に、前記ＩＣカードに格納されたアプリケーシ
ョンデータの読み書きが可能となる構成とする。
【００３７】
また、前記アプリケーションの名称は、前記アプリケーションの正式名称、略
称、または前記アプリケーションを表す図形情報である構成とする。
【００３８】
また、ＩＣカードと、前記ＩＣカードに格納される情報を処理するＩＣカード
処理装置と、情報を入出力する端末入出力部を備えた情報処理端末と、前記ＩＣ
カード処理装置と前記情報処理端末とを接続する情報変換器と、を備えてなるＩ
Ｃカードシステムであって、前記ＩＣカードは、情報を入出力するカード入出力
手段と、複数のアプリケーションに関する情報を記憶する記憶手段と、前記アプ
リケーションに関する情報を処理するＩＣカード演算処理手段とを備えてなり、
前記ＩＣカード処理装置は、前記カード入出力手段を介して情報を読み書きする
第１および第２のＩＣカード読み書き手段と、前記第１または第２のＩＣカード
読み書き手段を介して前記ＩＣカード演算処理手段において情報を入出力し、前
記ＩＣカードに格納されたアプリケーションに関する情報の処理を行なう装置演
算処理手段とを備えてなり、前記情報変換器は、第１の入出力手段と、前記第１
の入出力手段に接続された変換回路部と、前記変換回路部に接続された第２の入
出力手段とを備えてなり、
前記第１のカード読み書き部は前記ＩＣカードに接続され、前記第２のカード読
み書き部は、前記第１の入出力手段に接続され、前記第２の入出力手段は、前記
情報処理端末に接続され、前記情報処理端末において入出力される情報と、前記
第２のＩＣカード読み書き手段に入出力される情報は、前記変換回路部において
互いに形式が変換され、前記装置演算処理手段は、前記情報処理端末において入
出力される情報により前記ＩＣカードに格納されるアプリケーションに関する情
報が読み書きされるように制御する構成とする。
また、前記情報処理端末はコンピュータである構成とする。
【発明の効果】
【００３９】
以上のように本発明では、１枚のＩＣカード内に電子マネー情報と共にプレミ
アムポイント情報などの複数のアプリケーションデータを格納し、ユーザーが必
要なアプリケーションデータをキー操作で選択することにより、必要なデータを
ユーザーが選択して表示装置に表示させることが可能となる。
【発明を実施するための最良の形態】
【００４０】
以下、本発明の実施の形態を、図１〜図２５を用いて説明する。
図１は本発明のカード情報処理装置の１実施形態に係るＩＣカード情報表示装
置を示しており、同図は、ＩＣカード内に格納された複数のカードアプリケーシ
ョン情報を表示させるためのＩＣカード情報表示装置の構成と、それに装着され
たＩＣカードの構成を示すブロック図である。
【００４１】
図１において、１はＩＣカード情報表示装置（以下、表示装置と称す）であり
、この表示装置１内において、２はシステムプログラム記憶部、３は表示部、４
はキー入力部、５は演算処理部、６は通信ドライバ部、７はアプリケーションプ
ログラム記憶部、８、９はＩＣカード読み書き部、４６は外部端子である。また
、１０は、外部端子４６を介して表示装置１に接続されたモデム部である。また
、１１、１７はＩＣカードで、ＩＣカード１１、１７内において、１２、１８は
表示装置１との入出力部、１３、１９は演算処理部、１４、２０はＩＤ番号記憶
部、１５、２１はカードオペレーティングシステム記憶部（以下、カードＯＳ記
憶部と称す）、１６、２２は読み書き消去が可能な読み書きメモリ部である。
【００４２】
まず始めに、図２を用いて表示装置１の概要を説明する。表示装置１には、Ｉ
Ｃカード内の様々なデータを表示させるための表示部３があり、例えばドットマ
トリクスタイプのＬＣＤを用いて、文字、数字、記号などを表示させる。また、
ユーザーがアプリケーションの選択、数値入力などに使用するキー入力部４を備
えている。ＩＣカードスロットは、例えば表示装置１の上面と下面に設けてあり
、ユーザーが２枚のＩＣカードを同時に表示装置１に挿入することができるよう
になっている。さらに、外部端子４６を備えているため、外部のパソコンやモデ
ムに接続して、表示装置１内にアプリケーションプログラムをインストールする
ことができる構成となっている。
【００４３】
なお、図２に示した例では、表示部３には、ユーザーが選択するアプリケーシ
ョンのリストが表示されており、ある１つのカーソル行が白黒反転表示されてい
る。この場合、ユーザーがエンターキーを押すことにより、白黒反転表示された
カーソル行の項目が選択されて、なおかつ実行される。
【００４４】
次に、図１によって、ＩＣカード１１、１７について説明する。電子マネーや
ポイントなどの各カードアプリケーションプログラムは、ＩＣカード内の読み書
きメモリ部１６、２２に格納されており、金額情報、ポイント残高情報などの各
アプリケーション固有のデータも、同様に読み書きメモリ部１６、２２に格納さ
れる。なお、この読み書きメモリ部１６、２２は、例えばＥＥＰＲＯＭで構成さ
れる。
【００４５】
また、カードＯＳ記憶部１５、２１には、上記カードアプリケーションプログ
ラムを制御するためのあらゆるシステムプログラムが格納されており、カードア
プリケーションの選択、上記固有データの読み出し及び書き込み、カードアプリ
ケーションの新規登録及び消去などを制御する。さらに、ＩＤ番号記憶部１４、
２０には、ＩＣカードに固有のＩＤ番号が格納されており、各カードアプリケー
ションでは、このＩＤ番号を利用してＩＣカードの認証を行うことができるよう
になっている。
【００４６】
なお、ＩＣカード１１、１７内には演算処理部１３、１９があり、アプリケー
ションデータは、全てこの演算処理部１３、１９を介して、入出力部１２、１８
から表示装置１に供給される。
【００４７】
次に、図１の表示装置１について説明する。電子マネーカードやポイントカー
ドなどの装置アプリケーションプログラムは、アプリケーションプログラム記憶
部７に格納される。また、表示制御、キー制御、ＩＣカード読み書き制御、通信
ドライバ制御などの各アプリケーションに共通なシステムプログラムは、システ
ムプログラム記憶部２に格納される。
【００４８】
ここで、アプリケーションプログラム記憶部７は、装置アプリケーションプロ
グラムの追加、消去が可能なように、フラッシュメモリなどの読み書き及び消去
が可能なメモリで構成される。また、システムプログラム記憶部２も、同様にフ
ラッシュメモリなどで構成することにより、プログラムのバージョンアップが可
能となる。
【００４９】
ユーザーが、電子マネーやポイントなどのアプリケーションデータを表示させ
たい場合は、カード読み書き部８、９および入出力部１２、１８を介して、ＩＣ
カード１１、１７から供給される金額情報、ポイント残高情報などの各アプリケ
ーション固有データを、演算処理部５が処理して、表示部３にデータを表示させ
る。ユーザーは、表示部３に表示された内容を見て、キー入力部４の操作により
次の指示を行うことができる。
【００５０】
また、表示装置１に新たに装置アプリケーションプログラムやシステムプログ
ラムをインストールする場合は、通信ドライバ部６を介して外部のモデムやパソ
コン等とデータのやり取りを行うことで可能となっている。この場合、通信ドラ
イバ部６では、例えばＲＳ−２３２Ｃ規格に準拠した信号を生成する。
【００５１】
なお、電子マネーシステムでは、金額情報を送金する際に、２枚のＩＣカード
間でデータのやり取りを行うことが必要である。この場合、表示装置１にＩＣカ
ードを２枚挿入して、ＩＣカードの読み書きメモリ部内にある金額情報を、２枚
のＩＣカード間で直接やり取りすることで、送金処理が可能となる。
【００５２】
次に、図３〜図１０を用いて、表示装置１内のアプリケーションプログラム記
憶部７に、新規に装置アプリケーションプログラムをインストールする場合につ
いて説明する。なお、同様に、システムプログラム記憶部２を書き換えて、表示
装置１のシステムプログラムをバージョンアップすることも可能となっている。
【００５３】
図３は、パソコン２３の外部端子４７と表示装置１の外部端子４６を直接ケー
ブルで接続して、表示装置１へ装置アプリケーションプログラムをインストール
する場合の構成を示すブロック図である。
【００５４】
図３において、２３はパソコンであり、パソコン２３内において、２４は表示
部、２５はキー入力部、２６は演算処理部、２７は通信ドライバ部、２８はハー
ドディスク部（以下、ＨＤＤと称す）、４７は外部端子である。
【００５５】
この場合、通信ドライバ部６、２７では、例えば信号レベルがＲＳ−２３２Ｃ
規格に準拠した信号を生成する。また、パソコン２３と表示装置１間のインタフ
ェースは、例えば送信データ、受信データ、送信要求、送信可の４信号で行うこ
とが可能であるが、さらに、電源供給をこのインタフェースを介して行うことも
できる。この場合、表示装置１側に電池などを接続せずにプログラムのインスト
ールができるため、工場出荷時にシステムプログラムや装置アプリケーションプ
ログラムを表示装置にインストールする際に有効である。また、表示装置１側に
ハードスイッチを設けて、ケーブルを接続するとスイッチが押されて自動的にシ
ステムプログラムあるいは装置アプリケーションプログラムをインストールする
モードに、表示装置１を切り替えるようにすることも可能である。
【００５６】
なお、装置アプリケーションプログラムは、パソコン２３内のＨＤＤ２８内に
格納されており、ユーザーがパソコン２３のキー入力部２５を操作して、所望の
アプリケーションを選択することにより、選択された装置アプリケーションプロ
グラムが表示装置１にインストールされる。また、パソコン２３と表示装置１間
のインタフェースは、有線でも無線でも可能であり、例えばＩｒＤＡ（Ｉｎｆｒ
ａｒｅｄ  Ｄａｔｅ  Ａｓｓｏｃｉａｔｉｏｎ）方式を用いた赤外線伝送でもよ
い。
【００５７】
図４は、図３に示す構成で装置アプリケーションプログラムをインストールす
る際の、処理フロー図である。ユーザーが、表示装置１の電源を入れてから、キ
ー入力部４の操作で、アプリケーションプログラムをインストールするモードに
切り替える（１０１、１０２）。その後、パソコン２３と表示装置１との間の接
続を行い（１０３）、次に、パソコン２３のキー入力部２５の操作で、所望のア
プリケーションを選択する（１０４）。その後、パソコン２３からアプリケーシ
ョンプログラムの名称、バージョンなどの情報が、表示装置１側に送られてくる
ため（１０５）、ユーザーが所望のアプリケーションであることを確認すること
ができる（１０６）。
【００５８】
続いて、ユーザーがインストールＯＫの指示を入力すると、装置アプリケーシ
ョンプログラムのインストールが始まる（１０７）。正常にデータを受信した場
合は（１０８）、表示装置１には、続けてインストールを行うかどうかのメッセ
ージが表示されて（１０９）、続けない場合にはインストール作業が終了する（
１１０）。
【００５９】
図５は、上記したインストールの際の、表示装置１の表示部３上の画面表示の
遷移の１例を示す図である。表示装置１の表示部３上の画面表示と対話式に、キ
ー入力部４のエンターキーとキャンセルキーなどの操作によって、図５の上から
下に示すように、順次、項目の選択と処理の実行を指示することで、装置アプリ
ケーションプログラムの表示装置１へのインストールが行われる。なお、項目の
選択にはスクロールキーが必要に応じて用いられる。
【００６０】
なおまた、ここでは、表示装置１側の表示と操作によってインストールを行う
例を示したが、表示装置１と接続されたパソコン２３側の表示と操作によって、
インストールを行うことも可能である。
【００６１】
図６は、表示装置１へ、モデムを介して装置アプリケーションプログラムのイ
ンストールを行う場合の構成を示すブロック図である。
【００６２】
図６において、２９はサービスセンタ内の端末であり、この端末２９内におい
て、３０は顧客情報管理部、３１は表示部、３２はキー入力部、３３は演算処理
部、３４はモデム部、３５は通信ドライバ部、３６はＨＤＤである。
【００６３】
図６に示した本例の場合には、公衆回線を介して遠隔地からアプリケーション
プログラムなどをインストールすることができるため、ユーザーがサービスセン
タに電話をかけて、リモートで装置アプリケーションプログラムをダウンロード
し、インストールすることができる。なお、通信ドライバ部６とモデム部３７と
の間のインタフェース信号は、例えば送信データ、受信データ、送信要求、送信
可の４信号で行われるものとする。また、端末２９の顧客情報管理部３０には、
お客さんがダウンロードした装置アプリケーションプログラムのリストが記憶さ
れており、バージョンアップなどのサービスを行う際に、これらの情報が使用さ
れる。
【００６４】
図７は、パソコン２３から装置アプリケーションプログラムを、表示装置１の
ＩＣカード読み書き部８（または９）を介してインストールする場合の構成を示
すブロック図である。図７において、３８は変換部である。
【００６５】
図７に示した本例では、パソコン２３の外部端子４７からの信号は、送信信号
と受信信号が別々の信号であるのに対して、ＩＣカード読み書き部８（または９
）では、送信信号と受信信号が１本の信号でやり取りされる。そこで、パソコン
２３の外部端子４７には、送信信号と受信信号を１本の信号に変換する変換部３
８を接続する。また、この場合のパソコン２３と変換部３８との間のインタフェ
ース信号は、例えばデータ信号、リセット信号、クロック信号の３信号で行われ
るものとする。
【００６６】
本来、ＩＣカード読み書き部８（または９）にてＩＣカードが読み書きされる
ときの通信速度は、調歩同期で、例えば９．６ｋｂｐｓ（マイコンクロック３．
５８Ｍｈｚの場合）で転送される。通信プロトコルはＩＳＯ７８１６のルールで
行なえば良い。一方、ＩＣカード読み書き部８（または９）を介して装置アプリ
ケーションをインストールする場合は、調歩同期、クロック同期共に可能であり
、クロック同期を用いれば通信速度も例えば、９００ｋｂｐｓまで高速化ができ
る。この場合、通信プロトコルは独自に定めても良い。
【００６７】
なお、ＩＳＯ７８１６の定義では、ＩＣカードの４番端子および８番端子は将
来のための予備端子になっているので、これらの端子を用いて表示装置１に外部
から電源を供給することも可能である。また、表示装置１ではＩＣカード読み書
き部が必須の構成要素であるため、これを用いて装置アプリケーションプログラ
ムのインストールが可能になれば、表示装置１側にその他に外部端子や通信ドラ
イバ部を設ける必要がなくなり、表示装置１のより一層の低コスト化が図れる。
図２３のように外部端子や通信ドライバ部がない構成でもよい。
【００６８】
なお、図７に示した例では、変換部３８をパソコン２３の外部に接続する場合
を説明したが、変換部３８をパソコン２３に内蔵した構成としてもよい。
【００６９】
図１９には、変換部３８の外観図を示す。これは、パソコン２３の外部に変換
部３８を設置する場合であるが、上記のように送信信号と受信信号を１本の信号
に変換する変換回路部６７とＩＣカードの形状をしたコネクタ部６６から構成さ
れる。ここで、６８はパソコンのＲＳ−２３２Ｃ端子に接続するためのＲＳ−２
３２Ｃコネクタ部である。コネクタ部６６の形状、接点位置は、ＩＳＯ−７８１
６に準拠したものとなっている。なお、変換部３８をパソコン２３に内蔵する場
合は、上記変換回路部６７はパソコンに内蔵して、コネクタ部６６のみをパソコ
ン外部に設置すればよい。さらに、ＩＣカード読み書き部と対応する形であれば
、ＩＣカードの接点の数を変えたり、形状を変更することも可能である。
【００７０】
図８は、図７に示す構成で装置アプリケーションプログラムをインストールす
る際の、処理フロー図である。図８に示す処理の流れは、前記した図４の処理フ
ロートとほぼ同様であり、アプリケーションプログラムをインストールするモー
ドに切り替えた後、表示装置１にＩＣカード型コネクタを接続して、変換部３８
を介してパソコン２３と表示装置１との接続を行うステップ（２０３）のみが、
図４のステップ１０３と置き換わっている。図２２は、モデムを介して装置アプ
リケーションプログラムのインストールを行なう場合だが、図７と同様にＩＣカ
ード読み書き部８（または９）を介して端末にインストールを行なう場合である
。このように、通信ドライバ部を持たない表示装置の構成であっても、モデムを
使ってサービスセンタにアクセスすることは可能である。
【００７１】
図９は、メモリカードを用いて装置アプリケーションプログラムを、表示装置
１へインストールする場合の構成を示すブロック図である。図９において、６１
はメモリカードで、このメモリカード６１内において、６２は入出力部、６３は
アプリケーションプログラム記憶部である。
【００７２】
メモリカード６１はＩＣカードと同一形状のデバイスであり、図９に示した本
例では、このメモリカード６１を表示装置１のＩＣカードスロットに挿入するこ
とにより、メモリカード６１内のアプリケーションプログラム記憶部６３に格納
された装置アプリケーションプログラムを、表示装置１にインストールすること
ができる。この場合も図２４のように外部端子や通信ドライバ部を省いてもよい
。
【００７３】
なお、図９ではメモリカードについて説明したが、演算処理部を備えたＩＣカ
ードに装置アプリケーションプログラムを格納して、表示装置１にインストール
するようにしても構わない。図２１は、その場合の構成を示すブロック図である
。ＩＣカード６４内には、装置アプリケーションプログラム記憶部６５を設けて
、表示装置１にインストールする装置アプリケーションプログラムを格納する。
この場合、ＩＣカード１内の読み書きメモリ部１６には、対応するカードアプリ
ケーションプログラムを格納することにより、ＩＣカード６４を端末に挿入する
と、始めに装置アプリケーションプログラムを表示装置１にインストールして、
その後、対応するカードアプリケーションプログラムを実行することができる。
【００７４】
次に、図１０を用いて、アプリケーションインストール用の携帯端末について
説明する。図１０は、アプリケーションインストール用の携帯端末を用いて、表
示装置１へ装置アプリケーションプログラムをインストールする場合の構成を示
すブロック図である。
【００７５】
図１０において、３９は携帯端末であり、この携帯端末３９内において、４０
は表示部、４１はキー入力部、４２は通信ドライバ部、４３は演算処理部、４４
は変換部、４５は読み書きメモリ部、４８は外部端子である。
【００７６】
図３及び図７に示した例では、パソコン２３を表示装置１に接続してＨＤＤ２
８内の装置アプリケーションプログラムをインストールしたが、例えばサービス
マンがユーザーの家まで出張してインストールする場合などは、いちいちパソコ
ン２３を持参しなければならず面倒である。そこで、図１０に示す本例では、イ
ンストール用の携帯端末３９を用いることで、パソコン２３を用いなくても容易
にインストールを行うことができるようにしている。また、店頭に上記の携帯端
末３９を設置することにより、ユーザーが自分で操作してインストールすること
も可能となる。この場合、パソコンを設置する場合と比べて低コストで携帯端末
を設置できるため、店側の経費の負担を軽減することができる。
【００７７】
図１０に示した本例の場合には、表示装置１へのインストールに先立ち、あら
かじめパソコン２３の外部端子４７と携帯端末３９の外部端子４８を接続して、
パソコン２３のＨＤＤ２８内に格納された装置アプリケーションプログラムを、
携帯端末３９内の読み書きメモリ４５にインストールしておく。ここで、数種類
の装置アプリケーションプログラムを携帯端末３９にインストールしておけば、
サービスマンが携帯端末３９のキー入力部４１の操作により、任意のアプリケー
ションを選択して、ユーザーの所望する装置アプリケーションプログラムを表示
装置１にインストールすることができる。なお、携帯端末３９の読み書きメモリ
部４５は、例えばフラッシュメモリで構成される。
【００７８】
また、インストール用の携帯端末３９が、送信信号と受信信号を１本の信号に
変換する変換部４４を内蔵することにより、図７に示した例で説明したように、
表示装置１のＩＣカード読み書き部８（または９）を介してインストールするこ
とも、図３に示した例で説明したように、表示装置１の外部端子４６を介してイ
ンストールすることも、それぞれ可能となり、利便性が向上する。
【００７９】
以上、表示装置１への装置アプリケーションプログラムのインストール手法の
各例について説明した。
【００８０】
なお、上記では表示装置１のみに装置アプリケーションプログラムをインスト
ールしたが、図２０に示すように、表示装置１にＩＣカード１１を接続しておき
、装置アプリケーションプログラムと同時に、ＩＣカード１１内にカードアプリ
ケーションプログラムをインストールすることも可能である。図２０では、表示
装置は２つのＩＣカード読み書き部を備えるが、１つはパソコンとの接続用に使
用して、もう一つはユーザーが使用するＩＣカードを挿入することで、端末とＩ
Ｃカードに同時にインストールが可能である。
【００８１】
次に、表示装置のその他の使用方法を説明する。上記では、表示装置内部のシ
ステムプログラム記憶部やアプリケーションプログラム記憶部に端末用プログラ
ムをインストールする例を説明した。この場合、表示装置のＩＣカード読み書き
部を介してプログラムをインストールすることができるが、同様に、ＩＣカード
読み書き部を介してパソコンと他のデータのやり取りを行なうこともできる。
【００８２】
例えば、図２０の構成により、表示装置をパソコンに接続するＩＣカードリー
ダー／ライターとして使用することができる。この場合、パソコン２３からの指
示信号は外部端子４７から出力されるが、変換部３８を介してＩＣカード読み書
き部９に入力される。入力された信号は表示装置６９の演算処理部５で処理され
る。その後、演算処理部５が制御してＩＣカード読み書き部８を介してＩＣカー
ドにデータの読み書きを行なう。ＩＣカード１１では、受信した信号をＩＣカー
ドの演算処理部１３が処理して、読み書きメモリ部１６のデータを更新する。読
み取ったデータは、同様にＩＣカード読み書き部８を介して表示装置６９に入力
されるが、さらにＩＣカード読み書き部９を介してパソコン２３に送られる。
【００８３】
このように、表示装置をＩＣカードリーダーライターとして使用することで、
ＩＣカード内の残高データの読み出し、取引履歴情報の読み出しなどをパソコン
を用いて行なうことができる。なお、上記では表示装置６９のＩＣカード読み書
き部９を介してパソコンとデータのやり取りをしたが、図３の構成のように、表
示装置の通信ドライバ部６と外部端子４６を用いてパソコンとデータのやり取り
を行なうことも可能である。
【００８４】
次に、インストールされたアプリケーションをユーザーが選択する際の、表示
部へのアプリケーション名称の表示方法について説明する。
【００８５】
図１１は、本実施形態の表示装置１で表示されるアプリケーションの一覧を示
す図である。図１１に示したのは、あくまでも１例であるが、ここでは例えば、
アプリケーションＡは電子マネーカードに関するもの、アプリケーションＢはク
レジットカードに関するもの、アプリケーションＣはポイントカードに関するも
の、アプリケーションＤは航空会社のマイレージカードに関するものの名称とす
る。ここで、各アプリケーションデータを表示させるためには、ＩＣカード内に
格納されたカードアプリケーションプログラムと、表示装置１内に格納された装
置アプリケーションプログラムとが必要となり、図１１では、各アプリケーショ
ンに関するこれらのプログラムの名称が示されている。
【００８６】
まず、図１２を用いて、ＩＣカード内のデータ構成について説明する。ＩＣカ
ードに関しては、ＩＳＯ７８１６で規格化されており、Ｍａｓｔｅｒファイル（
以下、ＭＦと称す）、Ｄｉｒｅｃｔｏｒｙファイル（以下、ＤＩＲ ｆｉｌｅと
称す）、Ａｎｓｗｅｒ Ｔｏ Ｒｅｓｅｔファイル（以下、ＡＴＲ ｆｉｌｅと称
す）、Ｄｅｄｉｃａｔｅｄファイル（以下、ＤＦと称す）、Ｅｌｅｍｅｎｔａｒ
ｙファイル（以下、ＥＦと称す）の５種類のファイルから構成される。
【００８７】
ＩＣカードに電源を投入後に、クロック信号とリセット信号を供給すると、Ｉ
Ｃカードは活性化されて、ＩＣカード内の様々なアプリケーションが利用可能と
なる。そして、ＩＣカードの活性化の直後は、図１２のＭＦ５１が選択される。
【００８８】
また、ＩＣカード活性化の際には、ＩＣカードからＡｎｓｗｅｒ Ｔｏ Ｒｅｓｅ
ｔ信号（以下、ＡＴＲと称す）が表示装置１に返されるが、このＡＴＲに格納で
きるデータの容量が限られているため、格納できなかった追加データが、図１２
のＡＴＲ ｆｉｌｅ５３に格納される。さらに、ＩＣカードに格納されたカード
アプリケーションの一覧情報は、レコード番号毎にＤＩＲ ｆｉｌｅ５２に格納
される。このＤＩＲ ｆｉｌｅに示された各カードアプリケーションは、それぞ
れ図１２のＤＦ５４〜５６に格納されるが、各アプリケーションに関連する固有
データを、図１２のＥＦ５７〜５９に格納して利用することも可能である。
【００８９】
なお、レコード番号は１から始まり、他のアプリケーションがＩＣカードに書
き込まれる毎に、番号が１つずつ増えていく。よって、例えば、３種類のアプリ
ケーションがＩＣカードに格納されている場合は、レコード番号がそれぞれ１、
２、３になる。
【００９０】
ユーザーが所望のアプリケーションを選択する場合は、まず始めに、ＩＳＯ７
８１６で定義されたＳｅｌｅｃｔ Ｆｉｌｅコマンドを用いてＤＩＲ ｆｉｌｅを
選択し、ＩＣカード内でＭＦからＤＩＲ ｆｉｌｅに移動する。そして、同様に
ＩＳＯ７８１６で定義されたＲｅａｄ ＤＩＲ ＲｅｃｏｒｄコマンドでＤＩＲ 
ｆｉｌｅ内の一覧情報を見て、ＩＣカードに格納されているアプリケーションＩ
Ｄ（以下、ＡＩＤと称す）を読み出す。このＡＩＤにより装置アプリケーション
プログラムは、カードアプリケーションの名称を判断することができる。ここで
、所望のアプリケーションが格納されている場合は、Ｓｅｌｅｃｔ Ｆｉｌｅコ
マンドにＤＩＲ ｆｉｌｅで読み出した各アプリケーションのＡＩＤを設定して
、ＤＩＲ ｆｉｌｅから任意のアプリケーションのＤＦに移動する。そして、各
アプリケーションプログラムを動作させて、アプリケーションデータを表示させ
る。
【００９１】
なお、ＡＩＤは最大１６文字の英数によるＩＤ番号であり、これは図１３に対
応の１例を示すように、各アプリケーション毎に定められる。装置アプリケーシ
ョンは、読み出したＡＩＤを識別してそのアプリケーションの名称を判断し、か
つ表示部にアプリケーションの名称を表示させる。
【００９２】
次に、本実施形態によるアプリケーション名称の表示方法について、図１４を
用いて具体的に説明する。ここでは、図１４に示すように、例えばカードアプリ
ケーションプログラムＡ、Ｂ、Ｄが、ＩＣカード内に格納されており、表示装置
内には装置アプリケーションプログラムＡＡ、ＢＢ、ＣＣが格納されているもの
とする。なお、図１２において、ＤＦ５４、５５、５６には、それぞれアプリケ
ーションＡ、Ｂ、Ｄが格納されているものとする。
【００９３】
この場合、表示装置１の表示部３へのアプリケーション名称の表示方法として
は、下記に示す（１）〜（４）が考えられる。
【００９４】
まず、（１）は、カードアプリケーションと装置アプリケーションで一致した
アプリケーションの名称を表示させる場合で、この例ではアプリケーションＡと
アプリケーションＢが表示される。図１４の場合、白黒反転表示されているカー
ソル行がアプリケーションＡの位置にあるため、ユーザーがこの状態でエンター
キーを押すことで、アプリケーションＡが選択されて、かつ実行される。一方、
ユーザーがスクロールキーの操作でカーソル行をアプリケーションＢの位置に移
動させてから、エンターキーを押すことで、アプリケーションＢが選択されて、
かつ実行される。
【００９５】
次に、（２）は、表示装置内に格納されたアプリケーションの名称を表示させ
る場合で、この場合、アプリケーションＡとアプリケーションＢは同様にユーザ
ーが選択できるが、アプリケーションＣに関するカードアプリケーションプログ
ラムがＩＣカード内に格納されていないため、ユーザーはこのアプリケーション
を選択してデータを表示させることはできない。
【００９６】
次に、（３）は、ＩＣカード内に格納されたアプリケーションの名称を表示さ
せる場合で、この場合もアプリケーションＡ、アプリケーションＢはユーザーが
選択できるが、アプリケーションＤに関する装置アプリケーションプログラムが
表示装置内に格納されていないため、同様にユーザーはこのアプリケーションを
選択してデータを表示させることはできない。
【００９７】
最後に、（４）は、ＩＣカード内または表示装置内に格納されたアプリケーシ
ョンの名称を全て表示させる場合で、この場合は、アプリケーションＣ及びアプ
リケーションＤに関してユーザーが選択することはできない。
【００９８】
以上のように、表示装置１にアプリケーションデータを表示させるためには、
ＩＣカード内と表示装置内に関連するアプリケーションプログラムを格納する必
要がある。（１）の場合、表示部に示されたアプリケーションは全てユーザーが
選択できるが、一方でＩＣカード内に格納されているにもかかわらず表示されな
いアプリケーション（この場合、アプリケーションＤ）があるため、ユーザーが
選択できずに戸惑うことが予想される。これは、ユーザーが他人の表示装置を使
用した場合には十分に想定される場面であり、（２）の場合も、同様のことが起
こり得る。
【００９９】
なお、（２）の場合、ユーザーがアプリケーションＣを選択しても、関連する
カードアプリケーションがＩＣカード内には無いためデータを表示させることは
できない。そこで、表示可能なアプリケーションと表示不可能なアプリケーショ
ンを区別するために、例えば、表示の際にアスタリスクを表示不可能なアプリケ
ーション名称（この場合、アプリケーションＣ）の横に表示させるなどが考えら
れる。
【０１００】
一方、（３）の場合、アプリケーションＡ、Ｂに関しては、装置アプリケーシ
ョンプログラムがＡＩＤを判断することで、アプリケーションの名称を表示させ
ることができる。しかしながら、アプリケーションＤに関しては装置アプリケー
ションプログラムが無いため、表示装置は読み出したＡＩＤからアプリケーショ
ンＤという名称を判断することができない。
【０１０１】
上記のような場合、アプリケーションＤという名称を表示させる代わりに、読
み出したＡＩＤ（この場合、ＡＢＣＤ４４４４４４４４４４４４）をそのまま表
示させることも可能である。しかしながら、ユーザーは、このＡＩＤのみではア
プリケーションを識別することはできないため、使い勝手が悪い。
【０１０２】
そこで、図１５に示すように、表示装置１内にアプリケーション一覧情報記憶
部４９を設けて、図１３に示したような対応表をアプリケーション一覧情報記憶
部４９に格納しておき、この対応表情報から読み取ったＡＩＤを識別することに
より、装置アプリケーションプログラムが無い場合でも、アプリケーションの名
称を判断して表示することが可能になる。この場合、アプリケーション一覧情報
記憶部４９には、その時点で使用可能な全アプリケーションの対応関係（対応表
）を記録しておき、定期的にサービスセンタにある端末２９のアプリケーション
一覧情報管理部５０からダウンロードして、常に最新のデータに更新することに
より、新しいアプリケーションデータがＩＣカードに登録された場合でも対応で
きるようにすることができる。モデムとの接続は表示装置の外部端子を用いるこ
とで可能だが、図２５に示すように、表示装置のＩＣカード読み書き部を介して
行なうこともできる。なお、アプリケーション一覧情報記憶部４９を、ＩＣカー
ドの中に格納することも可能である。
【０１０３】
図１６は、上述したＡＩＤを用いて、アプリケーション名称を判断して表示す
る場合の処理フローの１例を示す図である。ユーザーが表示装置１の電源を投入
してから、ＩＣカードを表示装置に挿入すると（３０１、３０２）、表示装置は
Ｓｅｌｅｃｔ Ｆｉｌｅコマンドを送出して、ＭＦからＤＩＲ ｆｉｌｅに移動す
る（３０３）。ＤＩＲ ｆｉｌｅでは、まず始めにレコード番号１を設定して（
３０４）、Ｒｅａｄ ＤＩＲ Ｒｅｃｏｒｄコマンドを送出する（３０５）。その
後、表示装置はＩＣカードからのレスポンスを受信して（３０６）、レスポンス
を正常に受信した場合は、レコード番号１に関するＤＩＲ ｆｉｌｅ内のＡＩＤ
を読み取る（３０７）。
【０１０４】
ここで、装置アプリケーションプログラムがＡＩＤを識別することが可能な場
合は（３０８）、アプリケーション名称を表示部３に表示させるが（３１０）、
ＡＩＤを識別できない場合は（３０８）、表示装置内のアプリケーション一覧情
報記憶部４９のデータを読み取ることで（３０９）、アプリケーションの名称を
判断して、アプリケーション名称を表示部３に表示させる（３１０）。
【０１０５】
その後、レコード番号を１つ増やして（３１１）、同様の処理を行う。なお、
Ｒｅａｄ ＤＩＲ Ｒｅｃｏｒｄコマンドを送出してエラーが返ってくる場合は（
３０６）、それ以上カードアプリケーションがＩＣカード内に存在しない場合な
ので、アプリケーション名称の表示に関する処理を終了する（３１２）。
【０１０６】
以上、ＡＩＤを用いてアプリケーションの名称を判断する場合を説明したが、
上述した手法以外にも、ＩＣカード内にアプリケーション名称を直接記録するこ
とで、アプリケーションの名称を認知するようにすることも可能である。この場
合には、ＩＣカード内の共通エリアに共通フォーマットで記録することにより、
ＩＣカード内の全てのアプリケーション名称を統一した方法で読み取ることがで
きる。
【０１０７】
例えば、前記したＤＩＲ ｆｉｌｅやＡＴＲ ｆｉｌｅに、アスキーコードで各
アプリケーション名称を記録することで、表示装置はＩＣカード内の全てのアプ
リケーション名称を容易に読み出すことができるようになる。また、前記Ｓｅｌ
ｅｃｔ Ｆｉｌｅコマンドで任意のアプリケーションを選択して、ＤＩＲ ｆｉｌ
ｅから任意のＤＦに移動する際のＩＣカードからのレスポンス信号にアプリケー
ション名称を記録することも可能である。さらに、前記ＡＴＲに各アプリケーシ
ョン名称を記録することもできる。
【０１０８】
ここでは、図１７を用いて、ＤＩＲ ｆｉｌｅ内にアプリケーション名称を格
納する場合の１例を示す。表示装置がＩＣカードに図１７の（ａ）に示すＲｅａ
ｄ ＤＩＲ Ｒｅｃｏｒｄコマンドを送出すると、ＩＣカードは図１７の（ｂ）に
示す長さｘ２バイトのＲｅａｄ ＤＩＲ Ｒｅｃｏｒｄレスポンスデータを表示装
置に送出し、その後でレスポンスデータが正常か異常かを示す図１７の（ｃ）の
ステータス情報（Ｓｔａｔｕｓ）を２バイト送出する。このコマンド、レスポン
スデータはＩＳＯ７８１６で規格化されたものであり、ｘ１にはＤＩＲ ｆｉｌ
ｅ内の読み出したいアプリケーションのレコード番号を入力する。
【０１０９】
ここで、レスポンスデータの構成に関してもＩＳＯ７８１６で規格化されてお
り、データを識別するための情報（Ｔａｇ）が１バイト、それに続いてレコード
データ長を示す情報（Ｌｅｎｇｔｈ）が１バイト、さらにＬｅｎｇｔｈで示され
たレコードデータ情報（Ｒｅｃｏｒｄｓ）の３つの情報から成る構成（以下、Ｔ
ＬＶ構成と称す）で成り立っている。
【０１１０】
各アプリケーションのレスポンスデータは、先頭が“６１”のＴａｇで始まり
、次にレスポンスデータ長（ｘ２バイト）から２バイト差し引いた値がＬｅｎｇ
ｔｈに示される。その後、“４Ｆ”のＴａｇでＡＩＤが示される。なお、ここで
アプリケーションのより詳細な情報を格納するために、ＴＬＶ構成でその他の情
報を格納してもよい。
【０１１１】
その後、アプリケーション名称をＤＩＲ ｆｉｌｅに格納するが、ここでは例
えば、先頭が“５０”のＴＬＶ構成でアプリケーション名称を格納するものとす
る。この場合、例えばアプリケーション名称をアスキーコードで格納し、アスキ
ーコードの文字情報をそのまま表示装置で表示させることで、様々なアプリケー
ション名称を統一した方法で読み出すことができる。
【０１１２】
なお、上記ではＤＩＲ ｆｉｌｅ内にアプリケーション名称を格納したが、同
様な考え方で、ＡＴＲ ｆｉｌｅにアプリケーション名称を格納することも可能
である。この場合は、ＩＳＯ７８１６で定義されたＲｅａｄ Ｂｉｎａｒｙコマ
ンド、レスポンスを用いてデータの取得を行う。
【０１１３】
上記したように、ＩＣカード内の共通エリアに共通フォーマットで記録するこ
とにより、表示装置は統一した方法でＩＣカードのアプリケーション名称を読み
取ることができるようになるため、装置アプリケーションプログラムが表示装置
内に無い場合でも、少なくともＩＣカード内のアプリケーション名称のみは表示
させることが可能となる。
【０１１４】
なお、この場合も、ユーザーはそのアプリケーションを選択することはできな
いため、上述したように、例えばアスタリスクをアプリケーション名称の横に表
示することで、その他の選択可能なアプリケーションと区別して表示することが
望ましい。
【０１１５】
以上、表示装置１にアプリケーション名称を表示させる際の表示方法に関して
説明したが、最後に、複数のアプリケーションを表示する際の表示の順番につい
て説明する。複数のアプリケーション名称を表示部３に表示させる場合、表示方
法としては、例えば下記のようなものが考えられる。
【０１１６】
（１）ＩＣカード内のレコード番号順に表示させる。
【０１１７】
（２）表示装置内で装置アプリケーションが格納されているメモリ番地の順に
表示させる。
【０１１８】
（３）アプリケーション名称のアルファベット順またはあいうえお順に表示さ
せる。
【０１１９】
（４）アプリケーションの使用頻度の順に表示させる。
【０１２０】
（５）アプリケーションをインストールした日付順に表示させる。
【０１２１】
（６）ユーザーが表示の順番を設定する。
上記で、（４）の場合は、例えば図１８に示すように、表示装置１内にアプリ
ケーション使用回数記憶部６０を設けて、ユーザーがアプリケーションを選択す
る毎に各アプリケーションの使用回数をカウントする。そして、アプリケーショ
ン名称のリストを表示する際には、例えば使用回数の多いものから順に表示させ
る。同様に、（５）、（６）の場合も、表示装置内にインストールの日付を記憶
する記憶部、あるいはユーザーの設定値を記憶する記憶部を設けることで、容易
に実現可能である。なお、上記では表示装置内に記憶部を設けたが、ＩＣカード
内に記憶部を設けてもよい。
【０１２２】
上記実施例におけるアプリケーションの名称は必ずしも正式な名称である必要
はなく、ユーザーがそのアプリケーションを認識するのに十分な情報があればよ
い。したがって、アプリケーションの略称や、アプリケーションを表す図形情報
などの文字情報以外の情報であっても上記と同様にアプリケーションの名称とし
て扱われる。例えば、ＸＹＺカメラポイントという名称のアプリケーションにお
いて、表示装置にＸＹＺカメラポイントという正式名称を表示せずに、ＸＹＺ、
ＸＹＺカメラ、ＸＹＺポイントなどの略称を表示しても、ユーザーは十分にＸＹ
Ｚカメラポイントのアプリケーションであることを認識できる。また、表示装置
の表示部の大きさによっては表示文字数が制限される場合が考えられる。この場
合も、ＸＹＺカ・などの略称を表示することは有用である。また、文字の表示に
限らず、カメラ等の図形や、ロゴマークなどの図形情報を表示しても、ユーザー
はアプリケーションを認識することが可能である。
【０１２３】
以上、図１〜図２５に示した実施形態では、ＩＣカードとＩＣカード読み書き
部との接続は、接点により信号のやり取りを行う接触式のＩＣカードについて説
明したが、非接触式のＩＣカードを使用するシステムにおいても、同様の接続を
行うことができる。例えば、ＲＦＩＤ等を用いて接続してもよい。また、本明細
書の実施形態ではＩＣカードを例にしたが、必ずしも形状はカード状のものに限
られず、厚みを持ったものや棒状のもの、あるいはその他の形状のものも本明細
書のＩＣカードと同様に用いることができる。
【０１２４】
また、図１〜図２５では、電子マネーやポイントなどの金額情報に関連したア
プリケーションに関して説明したが、例えばスケジュール管理、健康保健証、会
員証またはゲームなどもアプリケーションとして、同様のことを行なうことがで
きる。
【０１２５】
ここで、ＩＣカードに新たにアプリケーションデータを追加した場合は、表示
装置側にも表示制御用の装置アプリケーションプログラムを追加しないと、同じ
表示装置でＩＣカードに追加したデータを見ることができない。
【０１２６】
そこで、本発明では、パソコンやモデムからＲＳ−２３２Ｃなどの通信ドライ
バを介して、装置アプリケーションプログラムをインストールすることで、上記
した装置アプリケーションプログラムの追加が容易に行えるようにしているので
、ＩＣカードに新たにアプリケーションデータを追加した場合にも、容易に対処
でき、汎用性、利便性が向上する。
【０１２７】
また、本発明では、ＩＣカードのコンタクトを介して、同様に装置アプリケー
ションプログラムをインストールやパソコンとのやりとりも可能であるため、こ
の場合には、特別な外部端子や通信ドライバを表示装置側に設ける必要がなくな
り、表示装置のより一層の低コスト化が図れる。
【０１２８】
さらに、ユーザーがアプリケーションを選択する場合には、ＩＣカード内のア
プリケーションデータの種類と表示装置内の装置アプリケーションプログラムの
種類が一致しない場合も考えられるため、アプリケーション名称の表示方法に関
して何らかの統一した方法が必要である。そこで、本発明では、ＩＣカード内の
アプリケーションと装置アプリケーションで種類が一致したアプリケーションの
名称のみを表示装置に表示させる場合や、ＩＣカード内のアプリケーションある
いは装置アプリケーションの全ての名称を表示させる場合を、選択可能とできる
ようにしてあり、ユーザーにとって利便性が高まる。
【０１２９】
なお、ＩＣカード内のアプリケーションの名称を全て表示させる場合には、表
示装置内に装置アプリケーションプログラムが無いデータに関して、ＩＣカード
から読み出したＡＩＤを識別してアプリケーションの名称を判断することができ
ない。そこで、本発明では、世の中に普及している全アプリケーションに関して
、名称リストをあらかじめ表示装置内あるいはＩＣカード内に格納することで、
装置アプリケーションプログラムが無い場合でも、ＩＣカードから読み取ったＡ
ＩＤ情報を識別して、アプリケーション名称を表示させることも可能となってお
り、この点でも利便性のよいものとなる。
【０１３０】
さらに、本発明では、他の手法としてＩＣカード内の共通エリアに共通フォー
マットでアプリケーション名称を格納することによって、同様に、アプリケーシ
ョン名称の表示を常時可能とすることもでき、同様に利便性のよいものとなる。
この場合、例えばＤＩＲ ｆｉｌｅにアスキー文字コードで格納することが可能
である。
【図面の簡単な説明】
【０１３１】
【図１】本発明の１実施形態に係るＩＣカード情報表示装置およびＩＣカードの構成を示すブロック図である。
【図２】本発明の１実施形態に係るＩＣカード情報表示装置の外観の１例を示す平面図である。
【図３】本発明の１実施形態に係るＩＣカード情報表示装置へ、パソコンを用いて装置アプリケーションプログラムをインストールする際の構成の１例を示すブロック図である。
【図４】図３に示す構成で装置アプリケーションプログラムをインストールする際の、処理フローの１例を示すフローチャート図である。
【図５】図４に示す処理フローで表示される画面表示の遷移を示す説明図である。
【図６】本発明の１実施形態に係るＩＣカード情報表示装置へ、モデムを介して装置アプリケーションプログラムをインストールする際の構成の１例を示すブロック図である。
【図７】本発明の１実施形態に係るＩＣカード情報表示装置へ、パソコンを用いて装置アプリケーションプログラムをインストールする際の構成の他の例を示すブロック図である。
【図８】図７に示す構成で装置アプリケーションプログラムをインストールする際の、処理フローの１例を示すフローチャート図である。
【図９】本発明の１実施形態に係るＩＣカード情報表示装置へ、メモリカードを用いて装置アプリケーションプログラムをインストールする際の構成の１例を示すブロック図である。
【図１０】本発明の１実施形態に係るＩＣカード情報表示装置へ、アプリケーションインストール用の携帯端末を用いて、装置アプリケーションプログラムをインストールする際の構成の１例を示すブロック図である。
【図１１】本発明の１実施形態に係るＩＣカード情報表示装置で用いるアプリケーションの１例を示す説明図である。
【図１２】本発明の１実施形態に係るＩＣカード情報表示装置で用いる、ＩＣカード内のファイル構成の１例を示す説明図である。
【図１３】本発明の１実施形態に係るＩＣカード情報表示装置で用いる、アプリケーション名称とＡＩＤとの関係の１例を示す説明図である。
【図１４】本発明の１実施形態に係るＩＣカード情報表示装置における、アプリケーション名称の表示の各例を示す説明図である。
【図１５】本発明の他の実施形態に係るＩＣカード情報表示装置へ、モデムを介してアプリケーション一覧情報を転送する際の構成の１例を示すブロック図である。
【図１６】図１５に示す構成のＩＣカード情報表示装置において、ＡＩＤを用いてアプリケーション名称を判断して表示する処理フローの１例を示すフローチャート図である。
【図１７】本発明の実施形態に係るＩＣカード情報表示装置において用いる、ＩＣカード内へのアプリケーション名称の格納手法の１例を示す説明図である。
【図１８】本発明のさらに他の実施形態に係るＩＣカード情報表示装置およびＩＣカードの構成を示すブロック図である。
【図１９】本発明の１実施形態に係る変換部の外観の１例を示す図である。
【図２０】本発明の１実施形態に係るＩＣカード情報表示装置とＩＣカードへ、パソコンを用いて装置アプリケーションプログラムとカードアプリケーションプログラムをそれぞれインストールする際の構成の１例を示すブロック図である。
【図２１】本発明の１実施形態に係るＩＣカード情報表示装置へ、ＩＣカードを用いて装置アプリケーションプログラムをインストールする際の構成の１例を示すブロック図である。
【図２２】本発明の他の実施形態に係るＩＣカード情報表示装置へ、モデムを介してアプリケーション一覧情報を転送する際の構成の他の１例を示すブロック図である。
【図２３】図７に示す構成において通信ドライバ部６と外部端子４６を省略したブロック図である。
【図２４】図９に示す構成において通信ドライバ部６と外部端子４６を省略したブロック図である。
【図２５】図１５に示す構成において通信ドライバ部６と外部端子４６を省略し、カード読み書き部８とモデム部３７を変換器３８を介して接続したブロック図である。
【符号の説明】
【０１３２】
１  ＩＣカード情報表示装置（表示装置）
２  システムプログラム記憶部
３  表示部
４  キー入力部
５  演算処理部
６  通信ドライバ部
７  アプリケーションプログラム記憶部
８、９  ＩＣカード読み書き部
１０  モデム部
１１、１７  ＩＣカード
１２、１８  接続部
１３、１９  演算処理部
１４、２０  ＩＤ番号記憶部
１５、２１  カードオペレーティングシステム記憶部（カードＯＳ記憶部）
１６、２２  読み書きメモリ部
２３  パソコン
２４  表示部
２５  キー入力部
２６  演算処理部
２７  通信ドライバ部
２８  ハードディスク部（ＨＤＤ）
２９  サービスセンタ内の端末
３０  顧客情報管理部
３１  表示部
３２  キー入力部
３３  演算処理部
３４  モデム部
３５  通信ドライバ部
３６  ＨＤＤ
３７  モデム部
３８  変換部
３９  インストール用の携帯端末
４０  表示部
４１  キー入力部
４２  通信ドライバ部
４３  演算処理部
４４  変換部
４５  読み書きメモリ部
４６〜４８  外部端子
４９  アプリケーション一覧情報記憶部
５０  アプリケーション一覧情報管理部
５１  Ｍａｓｔｅｒファイル（ＭＦ）
５２  Ｄｉｒｅｃｔｏｒｙファイル（ＤＩＲ ｆｉｌｅ）
５３  Ａｎｓｗｅｒ  Ｔｏ  Ｒｅｓｅｔファイル（ＡＴＲ ｆｉｌｅ）
５４〜５６  Ｄｅｄｉｃａｔｅｄファイル（ＤＦ）
５７〜５９  Ｅｌｅｍｅｎｔａｒｙファイル（ＥＦ）
６０  アプリケーション使用回数記憶部
６１  メモリカード
６２  接続部
６３  アプリケーションプログラム記憶部
６４  ＩＣカード
６５  端末アプリケーションプログラム記憶部
６６  コネクタ部
６７  変換回路部
６８  ＲＳ−２３２Ｃコネクタ部
６９〜７１  表示装置
【図１】
2007095097.tif 000003
【図２】
2007095097.tif 000004
【図３】
2007095097.tif 000005
【図４】
2007095097.tif 000006
【図５】
2007095097.tif 000007
【図６】
2007095097.tif 000008
【図７】
2007095097.tif 000009
【図８】
2007095097.tif 000010
【図９】
2007095097.tif 000011
【図１０】
2007095097.tif 000012
【図１１】
2007095097.tif 000013
【図１２】
2007095097.tif 000014
【図１３】
2007095097.tif 000015
【図１４】
2007095097.tif 000016
【図１５】
2007095097.tif 000017
【図１６】
2007095097.tif 000018
【図１７】
2007095097.tif 000019
【図１８】
2007095097.tif 000020
【図１９】
2007095097.tif 000021
【図２０】
2007095097.tif 000022
【図２１】
2007095097.tif 000023
【図２２】
2007095097.tif 000024
【図２３】
2007095097.tif 000025
【図２４】
2007095097.tif 000026
【図２５】
2007095097.tif 000027
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
情報を入出力する入出力手段と、
複数のアプリケーションに関する情報を記憶する記憶手段と、
前記アプリケーションに関する情報を処理するＩＣカード演算処理手段と、
を備えたＩＣカードが用いられ、
前記ＩＣカードに格納される情報を処理するＩＣカード処理装置であって、
前記アプリケーションに対応することで前記アプリケーションに関する情報の読み書きが可能とする装置アプリケーションプログラムを複数記憶する装置アプリケーションプログラム記憶手段と、
前記ＩＣカードの入出力手段を介し、前記ＩＣカードに格納されたアプリケーションに関する情報を読み書きするＩＣカード読み書き手段と、
前記ＩＣカードにおいて用いられるアプリケーションの名称を表示する表示手段と、
アプリケーションに前記アプリケーションプログラム記憶手段に記憶されているアプリケーションプログラムが対応しないとき、前記アプリケーションの名称を、前記ＩＣカード読み書き手段により読み取ったアプリケーションに関する情報に含まれるアプリケーション識別情報に基づいて前記表示手段に表示するように制御する装置演算処理手段と、
を備えてなることを特徴とするＩＣカード処理装置。
【請求項２】
請求項１に記載のＩＣカード処理装置おいて、
前記ＩＣカードの記憶手段に記憶されるアプリケーションに関する情報は、
前記アプリケーションが前記ＩＣカードにおいて動作するためのカードアプリケーションプログラムと、
前記カードアプリケーションプログラムにおいて処理されるアプリケーションデータと、
を含んでなることを特徴とするＩＣカード処理装置。
【請求項３】
請求項１に記載のＩＣカード処理装置おいて、
前記ＩＣカード処理装置は、
前記ＩＣカード読み書き手段により読み取られるアプリケーション識別情報とアプリケーションの名称の対応を記憶するアプリケーション名称記憶手段を備え、
前記制御手段は、前記アプリケーション名称記憶手段に格納された情報に基づき、前記表示手段にアプリケーションの名称を表示するように制御すること
を特徴とするＩＣカード処理装置。
【請求項４】
請求項３に記載のＩＣカード処理装置おいて、
前記ＩＣカード読み書き手段において、
ＩＣカードに格納されるアプリケーションの識別情報とアプリケーションの名称の対応に関する情報が入力され、
前記アプリケーション名称記憶手段は、前記カード読み書き手段おいて入力された情報を記憶すること
を特徴とするＩＣカード処理装置。
【請求項５】
請求項３に記載のＩＣカード処理装置おいて、
前記アプリケーション名称記憶手段は、前記ＩＣカードにおいて使用される全てのアプリケーションの識別情報とアプリケーションの名称の対応に関する情報が記憶可能であること
を特徴とするＩＣカード処理装置。
【請求項６】
請求項１に記載のＩＣカード処理装置おいて、
前記ＩＣカード読み書き手段により読み取ったアプリケーション識別情報は、所定の形式の情報が含まれ、
前記装置演算処理手段は前記所定の形式の情報を前記表示手段に表示するように制御すること
を特徴とするＩＣカード処理装置。
【請求項７】
請求項６に記載のＩＣカード処理装置おいて、
前記所定の形式の情報は文字コード情報であること
を特徴とするＩＣカード処理装置。
【請求項８】
請求項１に記載のＩＣカード処理装置おいて、
前記アプリケーションの名称は、前記アプリケーションの正式名称、略称、または前記アプリケーションを表す図形情報であること
を特徴とするＩＣカード処理装置。
【請求項９】
ＩＣカード内に格納された複数の残高情報を表示するＩＣカード情報表示装置において、
表示に関する指示を入力する入力手段と、
上記ＩＣカード内の残高情報の読み取り及び書き込みを行うＩＣカード読み書き手段と、
上記残高情報を表示する表示手段と、
プログラムの読み書き及び消去が可能な記憶手段と、
外部装置と情報の送受信を行う情報送受信手段と、
上記ＩＣカード読み書き手段を制御して上記複数の残高情報を上記ＩＣカードから読み取り、上記入力手段からの指示によって特定された上記残高情報を上記表示手段に表示させる制御手段と
を設けて、
上記記憶手段には、上記制御手段を制御するための複数の制御プログラムが格納されており、
なおかつ、上記複数の残高情報の少なくとも１つは、金額情報であること
を特徴とするＩＣカード情報表示装置。
【請求項１０】
請求項９に記載のＩＣカード情報表示装置において、
前記記憶手段には、残高情報に関する全ての固有名称が格納されており、
前記複数の残高情報に関して前記記憶手段から該当する固有名称が読み出されること
を特徴とするＩＣカード情報表示装置。
【請求項１１】
請求項１０に記載のＩＣカード情報表示装置において、
前記表示手段には、前記記憶手段から読み出された固有名称がそれぞれ表示されて、該表示された固有名称の中から前記入力手段によって特定の残高情報を選択すること
を特徴とするＩＣカード情報表示装置。
【請求項１２】
請求項９に記載のＩＣカード情報表示装置において、
前記ＩＣカード内には、前記複数の残高情報に関する固有名称が統一された書式の文字コードで格納されること
を特徴とするＩＣカード情報表示装置。
【請求項１３】
請求項１２に記載のＩＣカード情報表示装置において、
前記表示手段には、前記ＩＣカードから読み出された固有名称がそれぞれ表示されて、該表示された固有名称の中から前記入力手段によって特定の残高情報を選択すること
を特徴とするＩＣカード情報表示装置。
【請求項１４】
請求項１２に記載のＩＣカード情報表示装置において、
前記固有名称は、前記ＩＣカード内のディレクトリーファイル内に格納されること
を特徴とするＩＣカード情報表示装置。
【請求項１５】
請求項１２に記載のＩＣカード情報表示装置において、
前記固有名称は、前記ＩＣカード内のアンサー・ツウ・リセットファイル内に格納されること
を特徴とするＩＣカード情報表示装置。
【手続補正２】
【補正対象書類名】明細書
【補正対象項目名】０００１
【補正方法】変更
【補正の内容】
【０００１】
本発明は、ＩＣカードの情報を処理することが可能なＩＣカードシステムおよびこれに用いられる装置ならびにＩＣカードに関する。